(57)【特許請求の範囲】
【請求項１】
不織布で形成された表面層を有し、且つ手術部位を露出させるための開口部またはＵ字端部が設けられたドレープであって、
液吸収性または撥水性の相違する表面層を有する複数のシートの縁部どうしが接合されて、前記開口部または前記Ｕ字端部の周辺領域での前記表面層が、前記周辺領域以外の領域の前記表面層に比べて、液吸収性または撥水性が高くなっており、
シートどうしの接合部では、一方のシートの縁部が裏面が上向きとなるように折り返されて前記一方のシートの表面に接合され、他方のシートの裏面が、折り返された前記縁部の上向きの前記裏面上に接合されていることを特徴とする手術用ドレープ。
【請求項２】
前記他方のシートは、折り返された前記縁部上から前記一方のシートの表面に延出し、延出した前記他方のシートの裏面が、前記一方のシートの表面に接合されている請求項１記載の手術用ドレープ。
【請求項３】
前記一方のシートの縁部は、前記開口部または前記Ｕ字端部から離れる方向へ折り返されている請求項１または２記載の手術用ドレープ。
【請求項４】
前記シートは、不織布で形成された前記表面層と、不織布で形成された裏面層との間に、不透液性層が挟まれた３層構造をもつ請求項１ないし３のいずれかに記載の手術用ドレープ。
【発明の詳細な説明】
【０００１】
【発明の属する技術分野】
本発明は、手術時に患者の手術箇所のみを露出させ、その他の部分を覆い隠すための使い捨ての手術用ドレープに関する。
【０００２】
【従来の技術】
従来、手術時において、患者の手術箇所のみを露出させるための開口部をもち、その他の部分を覆い隠すため手術用ドレープが利用されている。この手術用ドレープは、患者を清潔な状態に維持するため、患者の体温を保持するため、患者の血液や薬液などが飛散することを防止するため、等の目的で使用される。手術用ドレープとしては、例えば綿布、不織布、綿布や不織布に撥水加工を施したものなどが存在する。
【０００３】
そして、手術の種類によって手術用ドレープに求められる機能は異なる。例えば、帝王切開など多量の液体が発生する手術である場合、手術用ドレープの開口部付近において液吸収性が高いことが必要とされるが、その他の箇所は血液や薬液の飛沫でその他の部分が汚れないようにするために存在しており、そこでは高い吸収性は必要ない。また逆に、手術の種類によっては、開口部付近において撥水性が高いことが望まれ、その他の箇所はある程度の吸収性が望まれる場合もある。
【０００４】
【発明が解決しようとする課題】
しかし従来の手術用ドレープは、一枚の綿布や不織布で形成されており、全ての領域において液吸収性を高くしようとすると、若しくは撥水性を高くしようとすると、コストが高くなったり、厚みや堅さが増して使用しづらいものとなる。また、複数枚の機能が異なる手術用ドレープを使用しようとすると、設置に手間がかかり、さらにドレープどうしの間に隙間が生じるので、清潔な状態の維持という点で問題が生じる。
【０００５】
また、機能が異なる複数のシートを接合して手術用ドレープを形成すると、複数のシートの縁部どうしの接合部を血液や薬液が透過し、前記接合部からその下の床面などへ前記血液や薬液が浸透するおそれがある。
【０００６】
本発明は上記従来の課題を解決するものであり、部分的に液吸収性または撥水性を異ならせた手術用ドレープを提供することを目的としている。
【０００７】
また前記液吸収性または撥水性を異ならせたシートを接合する際に、シートどうしの接合部から床面への血液や薬液の浸透を防止できるようにした手術用ドレープを提供することを目的としている。
【０００８】
【課題を解決するための手段】
本発明は、不織布で形成された表面層を有し、且つ手術部位を露出させるための開口部またはＵ字端部が設けられたドレープであって、
液吸収性または撥水性の相違する表面層を有する複数のシートの縁部どうしが接合されて、前記開口部または前記Ｕ字端部の周辺領域での前記表面層が、前記周辺領域以外の領域の前記表面層に比べて、液吸収性または撥水性が高くなっており、
シートどうしの接合部では、一方のシートの縁部が裏面が上向きとなるように折り返されて前記一方のシートの表面に接合され、他方のシートの裏面が、折り返された前記縁部の上向きの前記裏面上に接合されていることを特徴とするものである。
【０００９】
本発明の手術用ドレープは、部分的に液吸収性または撥水性が異なる。よって、様々な手術において一枚の手術用ドレープで対応できる。特に手術部位を露出させるための開口部またはＵ字端部の周辺部、すなわち血液や薬液の流出量の多い領域で、表面層の液吸収性または撥水性を高めたので、血液や薬液の吸収や撥水機能を十分に発揮できる。またそれ以外の領域で、液吸収性または撥水性を低くすることにより、手術用ドレープを低コストに製造することができる。
【００１１】
複数のシートを接合すると、液吸収性または撥水性の異なるシートを別々に裁断して使用できる。またシートから面積の大きい１枚のドレープを裁断する必要が無く、製造が容易である。
【００１２】
また、前記他方のシートは、折り返された前記縁部上から前記一方のシートの表面に延出し、延出した前記他方のシートの裏面が、前記一方のシートの表面に接合されていることが好ましい。
【００１３】
このように、一方のシートの縁部を折り返し、この折り返した縁部と他方のシートの縁部とを、裏面どうしで接合することにより、前記一方のシート上を流れる血液や薬液が前記折り返し部で遮蔽され、シートどうしの接合部から床面へ前記血液や薬液が流出しにくくなる。
【００１４】
また、前記一方のシートの縁部は、前記開口部または前記Ｕ字端部から離れる方向へ折り返されていることが好ましい。
【００１５】
この構成では、手術部位を露出させるための開口部またはＵ字端部から周辺に向って流れる血液や薬液が、周辺領域のシートへ向う際に、シートどうしの接合部を血液等の流れに従って乗り越えていくようになり、シートどうしの接合部から裏面側への血液等の浸出を有効に防止できる。
【００１６】
また、本発明の手術用ドレープは、不織布で形成された前記表面層と、不織布で形成された裏面層との間に、不透液性層が挟まれた３層構造をもつものとすることができる。
【００１７】
【発明の実施の形態】
以下、本発明の手術用ドレープを図面を参照しながら説明する。図１は、本発明の手術用ドレープの平面図である。図２（Ａ）はシートの接合状態を説明する断面図、図２（Ｂ）は図１および図３のＩＩ−ＩＩ線による断面図、図３は接合されたシートどうしをさらに接合する状態を示す斜視図である。
【００１８】
本発明の手術用ドレープ１は、図１に示すように、複数枚のシート１１、１２、１３、１４、１５、１６、１７、１８、１９が接合されて形成されている。この手術用ドレープ１Ａは、一辺が１〜４ｍ程度の長方形である。そして手術用ドレープ１Ａの中央には、患者の手術部位を露出させるための開口部２が設けられている。このため、患者の手術部位以外の箇所は手術用ドレープ１Ａによって覆い隠される。なお、手術用ドレープ１Ａが脚や腕などの手術に用いられる場合、開口部２には伸縮性のフィルムが設けられ、開口部２に患者の脚や腕を通したとき、脚や腕にフィルムが密着し、結果患者の皮膚と開口部２との間に隙間が生じないようにしてもよい。
【００１９】
手術用ドレープ１Ａを構成するシートは、液吸収性がそれぞれ異なる。まず、手術用ドレープ１Ａの中央に位置し、開口部２が設けられているシート１１が、他のシートと比較して最も液吸収性が高くなっている。そして、シート１１の上下左右に連続するシート１２、１３、１４、１５が、シート１１より液吸収性が低く、且つ残りのシート１６、１７、１８、１９より液吸収性が高くなっている。すなわち、開口部２の付近が最も液吸収性が高く、開口部２から離れるにしたがって液吸収性が低くなっている。使用時には、液体が多量に発生する開口部２付近ではその液体を充分吸収できる。そして、開口部２から離れた箇所では、液吸収性は低くても、少量の飛沫であれば充分捕獲し得るので、患者や床や周りの器具などが汚れることを十分防止できる。
【００２０】
各シートは、図２（Ａ）（Ｂ）の断面図からわかるように、不透液性の中間層６の両面を表面層５と裏面層７とで挟んだ３層構造を持っている。各層は、ホットメルト接着剤などで互いに接合されている。
【００２１】
外側に向けられる表面層５は、親水性または親水化処理が施された繊維で形成された不織布であり、例えば、スパンレース不織布、サーマルボンド不織布、ポイントボンド不織布、スパンボンド不織布、エアースルー不織布である。不織布の好ましい具体的構成としては、目付が２０〜１００ｇ／ｍ2、更に好ましくは３５〜５５ｇ／ｍ2である。
【００２２】
患者側に向けられる裏面層７を、不織布または織布で形成すると、患者側の液体も吸収できるので好ましい。ただし、不織布の方が安価なので好ましい。不織布として、例えば、スパンレース不織布、サーマルボンド不織布、ポイントボンド不織布、スパンボンド不織布、エアースルー不織布である。不織布の好ましい具体的構成としては、目付が１５〜１００ｇ／ｍ2、更に好ましくは１５〜３０ｇ／ｍ2である。
【００２３】
表面層５と裏面層７とで挟まれる中間層６は、不透液性の素材で構成されることが好ましい。中間層６が不透液性であれば、水分や汚れや細菌を裏面層７側まで通さず、患者が汚染されることがない。不透液性の素材としては、可撓性のあるフィルム、例えばポリオレフィン系のポリエチレン（ＰＥ）フィルムや共重合体フィルム、通気性フィルムなどがあげれられる。また、合成ゴム、天然ゴムのシートも使用できる。このなかでも厚み１５〜７０μｍ、更に好ましくは１８〜３０μｍのポリエチレンシートが好ましい。
【００２４】
ただし、表面層５のみで、また表面層５と中間層６のみで本発明の手術用ドレープを形成しても良い。また、シートどうしが互いに異なる層構造をもち、例えば中央のシート１１のみを前記３層構造とし、その他のシートを１層または２層構造として良い。そのほか、前記３層構造にさらに他のシートを積層させた多層構造のシートを用いて手術用ドレープを形成してもよい。
【００２５】
各シートは、外側の（表面層５の上に位置する）液体が、患者側に漏れないように接合される。図２（Ａ）（Ｂ）は、シート１１とシート１３との接合構造を示している。まず図２（Ａ）に示すように、隣合うシートどうしであるシート１１とシート１３との縁部１１ｅ、１３ｅがＺ方向における図示上側へ曲げられた状態で、縁部１１ｅと縁部１３ｅにおいて両シート１１と１３の裏面層７どうしが接合される。このとき、一方のシート１３の縁部１３ｅの曲げ寸法（端部の幅寸法）１３ｗを、他方のシート１１の縁部１１ｅの曲げ寸法１１ｗより短くなるようにして、シート１１とシート１３の裏面層７どうしが接着剤で接合される。
【００２６】
そして図２（Ｂ）に示すように、裏面どうしが接合された縁部１１ｅと縁部１３ｅとが、一方のシート１３の表面層５の上に倒され、折り返された縁部１３ｅの表面層５ｅがシート１３の表面層５と接着剤で接合される。他方のシート１１の縁部１１ｅは、一方のシート１３の縁部１３ｅから延出しているが、この延出している縁部１１ｅの裏面層７ｅが、折り返された前記縁部１３ｅを乗り越えて、シート１３の表面層５に接着剤で接合される。
【００２７】
すなわち、図２（Ｂ）に示すように、シート１１とシート１３との接合部では、一方のシート１３の縁部１３ｅが、その裏面が上向きになるように二つ折りされて折り返された部分でシート１３の表面層５，５ｅどうしが互いに接合される。さらに他方のシート１１の縁部１１ｅでの裏面層７ｅは、折り返されている前記縁部１３ｅの裏面層に接合されると共に前記縁部１３ｅを乗り越えて一方のシート１３の表面層５の上に延び、他方のシート１１の裏面層７ｅと、一方のシート１３の表面層５とが互いに接合された状態となる。
【００２８】
この接合構造では、シート１３の表面を流れる液体が、縁部１１ｅにより堰きとめられ、縁部１３ｅの裏面と縁部１１ｅの裏面との接合部まで至ることがない。またシート１１の表面１ｓを流れる液体は、シート１１の延出部の表面に従って、シートどうしの接合部を乗り越えて、シート１３の表面層へ至るため、この液体もシートどうしの接合部から床面方向へ滲み出ることがない。
【００２９】
図３は、シート１１とシート１３とが接合された接合シート１１−１３と、シート１４とシート１８とが接合された接合シート１４−１８とを、さらに縁部どうしで接合する構造を示している。このときには、接合シート１１−１３の縁部１１−１３Ａと、接合シート１４−１８の縁部１４−１８Ａとが曲げられて裏面層どうしが（ｉ）で示すように接着接合される。さらに縁部１１−１３Ａと縁部１４−１８Ａとが接合された状態で、両縁部が（ｉｉ）方向と（ｉｉｉ）方向へ倒され、接合シート１４−１８上に接合される。
【００３０】
このとき縁部１１−１３Ａが、折り返された縁部１４−１８Ａよりも長く、縁部１１−１３Ａが接合シート１４−１８の表面層上に延出するようにし、延出した縁部１１−１３Ａが、接合シート１４−１８の表面層に接合される。
【００３１】
よって接合シート１１−１３と接合シート１４−１８との接合部においても、断面形状は図２（Ｂ）と同等になる。
【００３２】
なお、図２に示されるシート１３の縁部１３ｅの折り返し方向は、前記開口部２から離れる向きであり、シート１１は前記開口部２から離れる方向へ延びながら前記縁部１３ｅを乗り越えてシート１３の表面に延びている。同様に接合シート１４−１８の縁部１４−１８Ａの折り返し方向は、前記開口部２から離れる向きであり、接合シート１１−１３の縁部１１−１３Ａは、開口部２から離れる方向へ延びて前記縁部１４−１８Ａの上を乗り越えて、接合シート１４−１８の表面に接合されている。
【００３３】
したがって、開口部２から周囲へ向って流れる液体は、図２（Ｂ）の図示左方向へ向うことになり、縁部１１ｅや縁部１１−１３Ａの延出方向に沿って、接合部を乗り越えて流出できるようになる。縁部１１ｅおよび縁部１１−１３Ａの延出方向を液体の主な流れ方向に一致させているため、シートどうしの接合部から裏面側へ液体が流出しにくくなる。
【００３４】
この手術用ドレープ１Ａにおいては、液吸収性が高い順にシート１１＞シート１２、１３、１４、１５＞シート１６、１７、１８、１９となっているが、中央のシート１１以外は液吸収性がすべて等しいものであってもよい。その場合、シート１６、１５、１９、またはシート１７、１３、１８は一枚の連続するシートで形成されていてもよい。
【００３５】
さらにまた本発明の手術用ドレープには透視部が設けられていても良い。例えば、手術用ドレープ１Ａの端部に該当するシート１８を、不織布ではなく透明フィルムで形成し、透視部を設ける。この場合手術中において、患者を載せる台に取り付けられた操作盤が前記透視部を介して見ることが可能となり、操作を確実かつ迅速に行なえるようになる。
【００３６】
図４は本発明の手術用ドレープの他の実施の形態を示す平面図である。図４に示す手術用ドレープ１Ｂでは、その端部１ａにおいて、前記開口部２の代わりに手術用ドレープ１Ｂの中央へと延びるＵ字凹部３が形成されている。手術用ドレープ１Ｂは、Ｕ字凹部３から患者の頭などが露出するようにして使用する。
【００３７】
手術用ドレープ１Ｂは前記手術用ドレープ１Ａと同様に、複数枚シート２１、２２、２３、２４を接合して形成している。そして、各シートは互いに撥水性及び液吸収性が異なる。まず、前記Ｕ字凹部３が設けられているシート２１が、最も撥水性が高いシートで形成されている。そして、シート２１の左右に連続するシート２２、２３では、シート２１より撥水性が低くされている。さらに、シート２１、２２、２３の下に連続するシート２４では、シート２１、２２、２３より液吸収性が高くなっている。使用時には、発生した液体がＵ字凹部３の周辺においては吸収されない。そして、手術部位から離れた位置にあるシート２４においては飛沫などは十分吸収されることとなる。
【００３８】
撥水性の高いシート２１は、疎水性繊維もしくは疎水性処理が施された親水性繊維で形成された不織布、樹脂コーティングされた不織布などで形成できる。なお、不織布としては、前記表面層５で述べた不織布を使用することができる。さらに、シート２１は、前記手術用ドレープ１Ａに用いられるシートと同様に３層構造であることが好ましい。
【００３９】
その他、本発明の手術用ドレープは四角形状に限らず、円形や多角形などであってもよい。さらにまた、本発明の手術用ドレープは人間に用いるだけではなく、動物を対象として用いても良い。
【００４０】
【発明の効果】
以上詳述したように、本発明の手術用ドレープは、部分的に液吸収性または撥水性が異なる。よって、様々な手術において一枚の手術用ドレープで対応できる。
【００４１】
本発明の手術用ドレープを、液吸収性または撥水性が異なる複数枚のシートから形成すると、機能が互いに異なる種々のシートを必要に応じて組合せることが可能であり、また簡単に且つ低コストで得ることができる。この手術用ドレープでは、不必要な箇所にまで様々な機能を付与する必要がなくなるため、全体としての使用しやすさを低下させることがない。
【００４２】
さらに、各シートの接合をシートの裏面どうしが対面するようにして接合すると、表面の液体が患者側へと漏れない。
【図面の簡単な説明】
【図１】本発明の手術用ドレープの平面図
【図２】（Ａ）はシートの接合状態を説明する断面図、（Ｂ）は図１及び図３のＩＩ−ＩＩ線による断面図
【図３】接合シートどうしの接合状態を示す斜視図
【図４】本発明の手術用ドレープの他の実施の形態を示す平面図
【符号の説明】
１Ａ、１Ｂ  手術用ドレープ
１ｓ  表面
１ａ  端部
２  開口部
３  Ｕ字凹部
５  表面層
６  中間層
７  裏面層
１１、１２、１３、１４、１５、１６、１７、１８、１９  シート
１１ｅ、１３ｅ  端部
１３ｗ、１１ｗ  寸法
２１、２２、２３、２４  シート
【図１】
0003789265.tif 000002
【図２】
0003789265.tif 000003
【図３】
0003789265.tif 000004
【図４】
0003789265.tif 000005